(57)【要約】【課題】本発明は正確な位置情報を割り出すために補正や校正動作をなくし、精度を効率よく上げることができる携帯電話機やデジタルカメラ等の情報端未機を得るにある。【解決手段】第１の情報端未機本体、この第１の情報端未機本体に垂直方向に回動できるように取付けられた、第２の情報端未機本体とからなる携帯電話機やデジタルカメラ等の情報端未機において、ＸおよびＹ軸方向用の方位センサーが設けられた前記第１の情報端未機本体と、地軸との水平方向を取ることができるＺ軸方向用の方位センサーが設けられた前記第２の情報端未機本体とで携帯電話機やデジタルカメラ等の前記情報端未機を構成している。【選択図】  図１
2004226349.tif 000002
【特許請求の範囲】
【請求項１】
第１の情報端未機本体、この第１の情報端未機本体に垂直方向に回動できるように取付けられた、第２の情報端未機本体とからなる携帯電話機やデジタルカメラ等の情報端未機において、ＸおよびＹ軸方向用の方位センサーが設けられた前記第１の情報端未機本体と、地軸との水平方向を取ることができるＺ軸方向用の方位センサーが設けられた前記第２の情報端未機本体とからなることを特徴とする携帯電話機やデジタルカメラ等の前記情報端未機。
【請求項２】
第１の情報端未機本体、この第１の情報端未機本体に垂直方向に回動できるように取付けられた、第２の情報端未機本体とからなる携帯電話機やデジタルカメラ等の情報端未機において、ＸおよびＹ軸方向用の方位センサーが設けられた前記第１の情報端未機本体と、地軸との水平方向を取ることができるＺ軸方向用の方位センサーが設けられた前記第２の情報端未機本体と、この第２の情報端未機本体と第１の情報端未機本体との接続部位に設けられた、前記Ｚ軸方向用の方位センサーを駆動させることができるスイッチセンサーとからなることを特徴とする携帯電話機やデジタルカメラ等の前記情報端未機。
【請求項３】
前記第１の情報端未機本体と第２の情報端未機本体とに設けられた、あるいは選択的に設けられた加速度センサーを構成することを特徴とする特許請求の範囲第１あるいは第２項に記載の携帯電話機やデジタルカメラ等の前記情報端未機。
【請求項４】
前記第２の情報端未機本体はアンテナであることを特徴とする特許請求の範囲第１ないし第３項に記載の携帯電話機やデジタルカメラ等の前記情報端未機。
【発明の詳細な説明】
【０００１】
【発明の属する技術分野】
本発明は、携帯電話機やデジタルカメラ等の情報端未機に関する。
【０００２】
【従来の技術】
従来、ＧＰＳ機能やコンパス機能を有する携帯電話機やデジタルカメラ等の情報端未機には方向を識別するための方位センサーが備えられている。
【０００３】
【発明が解決しようとする課題】
従来のＧＰＳ機能やコンパス機能を有する携帯電話機やデジタルカメラ等の情報端未機では、ＸおよびＹ軸用の方位センサーしか備えていないので、正確な位置情報を割り出すために補正や校正動作を必要とし、精度も低いという欠点があった。
【０００４】
本発明は以上のような従来の欠点に鑑み、正確な位置情報を割り出すために補正や校正動作をなくし、精度を効率よく上げることができる携帯電話機やデジタルカメラ等の情報端未機を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は第１の情報端未機本体、この第１の情報端未機本体に垂直方向に回動できるように取付けられた、第２の情報端未機本体とからなる携帯電話機やデジタルカメラ等の情報端未機において、ＸおよびＹ軸方向用の方位センサーが設けられた前記第１の情報端未機本体と、地軸との水平方向を取ることができるＺ軸方向用の方位センサーが設けられた前記第２の情報端未機本体とで携帯電話機やデジタルカメラ等の前記情報端未機を構成している。
【０００７】
【発明の実施の形態】
以下、図面に示す実施の形態により、本発明を詳細に説明する。
【０００８】
図１ないし図３に示す本発明の第１の実施の形態において、１は本発明の携帯電話機やデジタルカメラ、デジタルビデオカメラ、ＧＰＳ等の前記情報端未機、本実施の形態では折畳み式の携帯電話機で、この情報端未機としての携帯電話機１は、従来と同様の第１の情報端末機本体部２、この第１の情報端末機本体部２の基板３上に設けられたＸおよびＹ軸方向用の磁気センサー等の方位センサー４とからなる第１の情報端未機本体５と、この第１の情報端未機本体５に従来と同様に垂直方向に回動できるように取付けられた第２の情報端末機本体部６、この第２の情報端末機本体部６の基板７上に設けられた、地球の地軸との水平方向を取ることができるＺ軸方向用の磁気センサー等の方位センサー８とからなる第２の情報端未機本体９とで構成されている。
なお、アンテナ部１０は従来と同様に、第１あるいは第２の情報端未機本体部位に適宜に形成されている。
【０００９】
図３に示すように、前記ＸおよびＹ軸方向用の方位センサー４は、水平面上においてＸ軸方向およびＹ軸方向に感磁方向を有する。また、前記Ｚ軸方向用の方位センサー８は、Ｚ軸の成分に対して地軸の傾きに合わせるＺ軸方向に感磁方向を有する。
【００１０】
上記構成の情報端未機としての携帯電話機１は、従来と同様のＸおよびＹ軸方向用の方位センサー４で平面的位置情報を捉えると同時に、Ｚ軸方向用の方位センサー８を用いて３次元的に位置情報を捉え、位置情報を順次補完することができるので、より精度の高い位置情報を獲得することができる。
例えば、方位センサーの出力から徒歩の走行速度ベクトルを算出し、移動距離に応じて以後のどの時刻からどのくらいの時間等を予測することもできる。
【００１１】
【発明の異なる実施の形態】
次に、図４ないし図１６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図４ないし図７に示す本発明の第２の実施の形態において、前記本発明の第１の実施の形態と主に異なる点は、前記第１の情報端未機本体５と第２の情報端未機本体９との接続部位に設けられた、該第２の情報端未機本体９の回動によって所定の角度になった時に前記Ｚ軸方向用の方位センサー８を駆動させることができる回転スイッチセンサー１１を用いた点で、このように構成された情報端末機１Ａにしても、本発明の第１の実施の形態と同様の作用効果を得ることができる。
なお、図７に示すように、前記回転スイッチセンサー１１を常時オン状態にして、Ｚ軸方向用の方位センサー８の稼動する最適な位置で、前記第２の情報端未機本体９の回動を位置決めすることができるようにしてもよい。
【００１３】
図８および図９に示す本発明の第３の実施の形態において、前記本発明の第１の実施の形態と主に異なる点は、前記第１の情報端末機本体部２の基板３上に加速度センサー１２を用いた点で、このように形成された第１の情報端未機本体５Ａを用いて構成した情報端末機１Ｂにしても、本発明の第１の実施の形態と同様の作用効果を得ることができるとともに、補正や校正動作をなくして、位置情報を正確に更新することができる。
なお、前記加速度センサー１２を使用することよって、移動状態なのか、静止状態であるのか、その位置はどこか等の情報を正確に把握することできるので、静止状態には省電力モードに切り替えたり、決められた所定時間の間に加速度が継続して検出できる場合、例えば電車や車に載っていると判断できる場合にはマナーモードに切り替えたりすることもできる。
【００１４】
図１０および図１１に示す本発明の第４の実施の形態において、前記本発明の第３の実施の形態と主に異なる点は、前記第２の情報端末機本体部６の基板７上に加速度センサー１２を用いた点で、このように形成された第２の情報端未機本体９Ａを用いて構成した情報端末機１Ｃにしても、本発明の第３の実施の形態と同様の作用効果を得ることができる。
【００１５】
図１２および図１３に示す本発明の第５の実施の形態において、前記本発明の第３の実施の形態と主に異なる点は、前記第１および第２の情報端末機本体部２、６の基板３、７上に加速度センサー１２、１２を用いた点で、このように形成された第１および第２の情報端未機本体５Ａ、９Ａを用いて構成した情報端末機１Ｄにしても、本発明の第３の実施の形態と同様の作用効果を得ることができる。
【００１６】
図１４ないし図１６に示す本発明の第６の実施の形態において、前記本発明の第１の実施の形態と主に異なる点は、アンテナである第２の情報端未機本体部６Ａと、この第２の情報端未機本体部６Ａの先端部に取付けられた、カバー１３を有するＺ軸方向用の方位センサー８とからなる第２の情報端未機本体９Ｂを用いた点で、このように構成された情報端末機１Ｅは、図１６に示すように、前記第２の情報端未機本体部としてのアンテナ９Ｂを垂直方向に回動させることによって、本発明の第１の実施の形態と同様の作用効果を得ることができる。また、折ることのできる従来と同様のアンテナを使用することもできる。
【００１７】
なお、各本実施の形態では  情報端末機としての携帯電話機を用いて説明したが、本発明はこれに限らず、デジタルカメラ、デジタルビデオカメラ、ＧＰＳ装置、ノート型パソコン等でもよい。
【００１８】
さらに、前記本発明の異なる実施の形態では主に第１の実施の形態を基にして説明したが、本発明はこれに限らず、各実施の形態に使用された構成を組み合わせて使用しても同様な作用効果が得られる。
【００１９】
【発明の効果】
以上の説明から明らかなように、本発明にあっては次に列挙する効果が得られる。
【００２０】
（１）第１の情報端未機本体、この第１の情報端未機本体に垂直方向に回動できるように取付けられた、第２の情報端未機本体とからなる携帯電話機やデジタルカメラ等の情報端未機において、ＸおよびＹ軸方向用の方位センサーが設けられた前記第１の情報端未機本体と、地軸との水平方向を取ることができるＺ軸方向用の方位センサーが設けられた前記第２の情報端未機本体とからなるので、３軸方向の位置情報を獲得することができる。
したがって、効率よく正確な位置情報を割り出すことができる。
【００２１】
（２）前記（１）によって、正確な位置情報を得ることができるので、データ処理の際に無駄な補正や校正動作をなくすことができる。
【００２２】
（３）前記（１）によって、正確な位置情報が得られるので、位置情報の精度を効率よく高め、利用価値の高い状態で使用することができる。
【００２３】
（４）前記（１）によって、構造が簡単であるので、従来と同様な美観で組み込むことができる。
したがって、デザインを損なうことなく組み込むことができる。
【００２４】
（５）請求項２〜４も前記（１）〜（４）と同様な作用効果が得られる。
【図面の簡単な説明】
【図１】本発明の第１の実施の形態の正面図。
【図２】本発明の第１の実施の形態の側面図。
【図３】本発明の第１の実施の形態の概略説明図。
【図４】本発明の第２の実施の形態の正面図。
【図５】本発明の第２の実施の形態の側面図。
【図６】本発明の第２の実施の形態の回転スイッチセンサーの説明図。
【図７】本発明の第２の実施の形態の異なる回転スイッチセンサーの説明図。
【図８】本発明の第３の実施の形態の正面図。
【図９】本発明の第３の実施の形態の側面図。
【図１０】本発明の第４の実施の形態の正面図。
【図１１】本発明の第４の実施の形態の側面図。
【図１２】本発明の第５の実施の形態の正面図。
【図１３】本発明の第５の実施の形態の側面図。
【図１４】本発明の第６の実施の形態の正面図。
【図１５】本発明の第６の実施の形態の側面図。
【図１６】本発明の第６の実施の形態の回動状態の説明図。
【符号の説明】
１、  １Ａ〜１Ｅ：情報端未機、        ２：第１の情報端末機本体部、
３：基板、
４：ＸおよびＹ軸方向用の磁気センサー等の方位センサー、
５、５Ａ：第１の情報端未機本体、    ６、６Ａ：第２の情報端末機本体部、
７：基板、
８：Ｚ軸方向用の磁気センサー等の方位センサー、
９、９Ａ、９Ｂ：第２の情報端未機本体、
１０：アンテナ部、                  １１：回転スイッチセンサー、
１２：加速度センサー、              １３：ブラントカバー。
【図１】
2004226349.tif 000003
【図２】
2004226349.tif 000004
【図３】
2004226349.tif 000005
【図４】
2004226349.tif 000006
【図５】
2004226349.tif 000007
【図６】
2004226349.tif 000008
【図７】
2004226349.tif 000009
【図８】
2004226349.tif 000010
【図９】
2004226349.tif 000011
【図１０】
2004226349.tif 000012
【図１１】
2004226349.tif 000013
【図１２】
2004226349.tif 000014
【図１３】
2004226349.tif 000015
【図１４】
2004226349.tif 000016
【図１５】
2004226349.tif 000017
【図１６】
2004226349.tif 000018